(57)【要約】【課題】肉薄な形態に形成することにより実験等の作業の容易性を図った新規なマグネチックスターラーの提供を図る。【解決手段】肉薄形態を呈する外函１の一半部を攪拌部１ａとすると共に他半部を動力部１ｂとし、当該攪拌部１ａ内には、複数のマグネット４を放射状に配置した磁性金属材料製回転盤３を回転自在に収装し、当該回転盤３を回転させるための回転機構の軸線と、前記動力部１ｂ内に設けた回転盤駆動のための駆動機構の軸線を、横方向に所要の距離を保った位置にあるように構成したマグネチックスターラー。【選択図】      図１
2004148149.tif 000002
【特許請求の範囲】
【請求項１】
肉薄形態を呈する外函（１）の一半部を攪拌部（１ａ）とすると共に他半部を動力部（１ｂ）とし、当該攪拌部（１ａ）内には、複数のマグネット（４）を放射状に配置した回転盤（３）を回転自在に収装し、当該回転盤（３）を回転させるための回転機構の軸線と、前記動力部（１ｂ）内に設けた回転盤駆動のための駆動機構の軸線が、横方向に所要の距離を保った位置にあるように構成したマグネチックスターラー。
【請求項２】
肉薄形態を呈する外函（１）の一半部を攪拌部（１ａ）とすると共に他半部を動力部（１ｂ）とし、当該攪拌部（１ａ）内には、周縁の歯車部分を除き中央部に大きな空所（２ａ）を形成した作動用歯車（２）を回転自在に収装し、複数のマグネット（４）を放射状に配置した磁性金属材料製回転盤（３）を、上記空所（２ａ）内にスッポリと収容固定し、前記動力部（１ｂ）内には、作動用歯車（２）と互いの周縁部において咬み合う駆動用歯車（５）を回転自在に収装し、当該駆動用歯車（５）の回転用シャフト（６）を外函（１）の外部に導くと共に、その先端を駆動モーターに連結するように構成したマグネチックスターラー。
【請求項３】
駆動用歯車（５）の回転用シャフト（６）をフレキシブルシャフトとすることにより、駆動モーターの遠隔的使用を図るように構成した請求項２に記載のマグネチックスターラー。
【請求項４】
駆動用歯車（５）の回転用シャフト（６）に連結するための駆動モーターを、外函（１）の動力部（１ｂ）の上面に載設するように構成した請求項２または請求項３に記載のマグネチックスターラー。
【請求項５】
外函（１）における攪拌部（１ａ）の上面に、複数のマグネット（４）を放射状に配置した磁性金属材料製回転盤（３）が露出可能とするような切り欠き部を形成して成る請求項２乃至請求項４の何れかに記載のマグネチックスターラー。
【発明の詳細な説明】
【０００１】
【発明の属する技術分野】
本発明は、理化学の実験等において、ビーカー等容器内収容液体に対する攪拌のために用いられるマグネチックスターラーに関する。
【０００２】
【従来の技術】
従来のマグネチックスターラーＡは図４に示すように、駆動用モーターＥの回転軸を上向きに突き出させ、これの上端にマグネット部Ｃを取付けてなるものであった。
そして、同図に示すようにマグネット部Ｃを、実験用容器Ｂの底部下面の中央部分に隣接させた状態でマグネチックスターラーＡをセットし、また、容器Ｂの内部に、磁性体である攪拌子Ｄを上記マグネット部Ｃの磁気影響を受けるような状態で位置させる。  この状態でモーターＥを始動させれば、当該モーターＥに連結されているマグネット部Ｃが回動するため、当該マグネット部Ｃの磁気的影響力（吸引力）が作用している攪拌子Ｄが、当該マグネット部Ｃと同一の方向に連動回転して容器Ｂ内に対する攪拌作用が奏される。
従って、当該容器Ｂ内に収容の試料水等が攪拌され、その濃度の均一化作業、または、複数の液体の混合作業が行われる。
【０００３】
【発明が解決しようとする課題】
従来のスターラーは上記したように、攪拌作用を司るマグネット部の下部に回動作用を司るモーターを位置させ、当該モーターの回転力を直接マグネット部に伝えるように構成したものである。  すなわち、従来のマグネチックスターラーは、マグネット部とモーターとが重なったような形態を呈するものであつた。
【０００４】
そのため、スターラー自体が上記形態に基づき必然的に丈高なものとされた。然し乍、このような丈高なものであると、攪拌システムを既存の装置に組み込んだ際に、その丈高性に基因して高さ方向の空間が限られてくると言うような問題、そしてこのような丈高な空間を取ることができなかった場合には、スターラーの組み込みの不能化というような問題が生じてしまうこととなる。    具体的にいうと、例えば観測容器を測定器の観測室に入れた状態で観測容器を攪拌する場合、観測用記を含めた全体高さが観測室内に納まるように、スターラーの丈高性を充分確認して設計しなければならないと言うような問題があった。
【０００５】
本発明は、マグネチックスターラー自体を肉薄な形態に形成可能とするように構成し、依って、上記のようなのような従来の問題を解決した新規なマグネチックスターラーの提供を図ったものである。
【０００６】
【課題を解決するための手段】
本発明は、肉薄形態を呈する外函１の一半部を攪拌部１ａとすると共に他半部を動力部１ｂとし、当該攪拌部１ａ内には、複数のマグネット４を放射状に配置した磁性金属材料製回転盤３を回転自在に収装し、当該回転盤３を回転させるための回転軸線と、前記動力部１ｂ内に設けた回転盤駆動のための駆動機構の軸線を、横方向に所要の距離を保った位置にあるように構成したマグネチックスターラーに係る。
【０００７】
そして、具体的には、肉薄形態を呈する外函１の一半部を攪拌部１ａとすると共に他半部を動力部１ｂとし、当該攪拌部１ａ内には、周縁の歯車部分を除き中央部に大きな空所２ａを形成した作動用歯車２を回転自在に収装し、複数のマグネット４を放射状に配置した磁性金属材料製回転盤３を、上記空所２ａ内にスッポリと収容固定し、前記動力部１ｂ内には、作動用歯車２と互いの周縁部において咬み合う駆動用歯車５を回転自在に収装し、当該駆動用歯車５の回転用シャフト６を外函１の外部に導くと共に、その先端に駆動モーターに連結するように構成する。
【０００８】
本発明は、上記のような構成の採用に基づきマグネチックスターラー自体の肉薄化を図り、もって前述したような従来の問題を解決したものである。
【０００９】
【作用】
適宜駆動モーターを介してシャフト６を回転させれば、駆動用歯車５が回動する結果、これに咬み合う作動用歯車２も連動して回転することとなる。  従って、当該歯車２上に取り付けた回転盤３が回転しマグネット４が円運動を行うこととなり、この円運動が磁気的連動性（吸引力）に基づき実験容器Ｂ内の攪拌子Ｄを回転させ、当該容器内の攪拌作用が奏される。
【００１０】
【発明の実施の形態】
図１及び図２は本発明の一実施例を表したものである。  同図において、１は肉薄な外函であつて、その内部には下記する二枚の回転歯車が互いの周縁においてかみ合った状態で収装されている。  そして、当該外函１は実験台上等に載置すると共に、その上面にビーカー等の実験用容器Ｂを載置させるに適した形態とするように構成してある。  なお、当該外函１には下記する作動用歯車２を収装する部分にビーカー等の実験用容器Ｂを乗せることを原則とする。  従って、この部分を肉薄に形成することが重要であり、他の部分は肉厚となっても本発明の目的は達成されるものである。  すなわち、当該他の部分に後述する回転用シャフト６に連結するためのモーター（図示してない）を搭載するように構成してもよい。
【００１１】
すなわち、上記した外函１は一半部を攪拌部１ａとし、他半部を動力部１ｂとし、攪拌部１ａはその上面にビーカー等の実験用容器Ｂを載置する関係上、できるだけ肉薄に形成し、動力部１ｂは場合によっては駆動用モーターを搭載する場合もあり、従って、この部分は肉薄性に固執するものではない。
【００１２】
２は作動用歯車であって、周縁の歯車部分を除き中央部分に大きな空所２ａ  を形成してある。  当該作動用歯車２は上記外函１の一半部に枢軸２ｂを介して回転自在に枢支してある。  なお、当該作動用歯車２はセラミック等非磁性材料で製することが製造の容易性から好ましいが、これは絶対的要件ではない。
【００１３】
３は複数のマグネット４を放射状に配置した回転盤であつて、当該回転盤３は磁性金属材料で製したものが好ましい。  なお、図示の実施例にあつては、当該マグネット４は左右対称的（放射状的）に二個配置してあるが、これは三個または四個等任意の個数を放射状に配置してもよく、複数のものであればその数に対する限定性はない。
【００１４】
上記した回転盤３とマグネット４は、前記した作動用歯車２に設けた空所２ａ    内に収装固定してある。  そして、当該収装固定した際に、その全体が当該空所２ａ内にスッポリと収装される程度の厚さ及び直径を具えたものとすることにより、当該作動用歯車２はこれを側面から見た場合、単なる一枚の歯車のような外観を呈するものとすることが、スターラーとしての薄さ追求上好ましい。
【００１５】
ところで、前記した外函１であるが、これは合成樹脂等非磁性材料で製することが重要であるが、前記した回転盤３が位置する部分は図示のように閉鎖面とすることは必ずしも必要ではない。  すなわち、この部分を円形状等に切り取り、当該回転盤３が露出するような形態とすれば、マグネット４の磁力が外函１を透ることによる磁力低下を生じさせることなく、実験用容器Ｂの底部下面に位置させてある攪拌子Ｄに対する吸引作用をおよぼすことができる。
【００１６】
上記した「外函１を非磁性材料で製することが重要である」とした点であるが、これは複数のマグネット４を放射状に配置した回転盤３を磁性の金属材料で製した場合であつて、この場合は、外函１を非磁性材料で製しないと、マグネット４の磁力が回転盤３を介して外函１まで及んでしまうからである。  然し乍、回転盤３を用いることは絶対的要件ではなく、これを非磁性のものとしたり、若しくは省略した構成で実施することも可能である。  従って、本発明の具体的実施に当たっては、外函１の材質、回転盤３の存否及びその材質は、上記した夫々の場合に即応させて用いるものとする。
【００１７】
５は上記した作動用歯車２とその互いの側縁で咬み合う駆動用歯車であって、外函１の他半部に回転自在に支持してある。  ６は当該駆動用歯車５の中心に連結した所要の長さを具えた回転用シャフト、７は当該シャフト６を案内するための鞘筒であって、当該シャフト６を外函１の外方に突出させるためのガイドとしての役割を担うものである。  そして、当該シャフト６の先端は適宜の駆動モーター（図示してない）に連結して、駆動用歯車４を回転させるように構成してある。
【００１８】
次に、上記シャフト６に対する駆動モーターの連結であるが、当該シャフト６をフレキシブルシャフトとするように構成した場合、駆動モーターの遠隔的利用が図られ、当該駆動モーターの設置場所は机上等その任意性が図られる。
そして、当該シャフト６を剛性のものとした場合は、外函１における動力部１ｂ上に駆動モーターを設置するようにしてもよい。  すなわち、本発明においては駆動用歯車の採用に基づき、回転部分の軸線と、駆動部分の軸線とが離れた位置に有るように構成したから、駆動用モーターの設置場所の任意性が、マグネット４を有する回転盤３の回転を阻害することなく発揮することとなる。
【００１９】
ところで、本発明における駆動機構部であるが、図示の実施例にあっては作動用歯車２に対して直接駆動用歯車５を咬み合わせるように構成してあるが、この間に一個以上の中継歯車を介在させるように構成してもよい。  このように構成することに依り、マグネット４を有する回転盤３を回転させるための作動用歯車２と、モーターに連結される駆動用歯車５との回転軸線間の距離を大きく取ることに依る丈低部分を広く取ることができる。  また、中継歯車の歯数を適宜設定することにより、マグネット４を有する回転盤３の回転速度及び回転強を所要のものとするような、設計上の条件選定が可能化される。
【００２０】
なお、本発明における駆動機構部は、駆動用歯車５を介して作動用歯車２連動回転させることを目的とするものであり、従って、上記したような  中継歯車依存することなく、チェーン、歯車ベルト等、適宜なベルト的連動機構を用いるように構成してもよい。
【００２１】
本発明は実験台上等に載置し、外函１における肉薄部分である攪拌部１ａ上にビーカー等の実験用容器Ｂを載置し、当該容器Ｂ内には既存の攪拌子Ｄを入れておくと共に、当該攪拌子Ｄは本発明におけるマグネット４を有する回転盤３上に位置させることにより、互いに磁気影響を受ける状態に保持させる。
【００２２】
この状態において、適宜駆動モーターを介してシャフト６を回転させれば、駆動用歯車５が回動する結果、これに咬み合う作動用歯車２も連動して回転することとなる。  従って、当該歯車２上に取り付けた回転盤３が回転しマグネット４が円運動を行うこととなり、この円運動が実験容器Ｂ内の攪拌子Ｄを磁力的連動性に基づき回転させ、当該容器内の攪拌作用が奏されることとなる。
【００２３】
【発明の効果】
本発明は請求項１に記載のような構成、すなわち、肉薄形態を呈する外函１の一半部を攪拌部１ａとすると共に他半部を動力部１ｂとし、当該攪拌部１ａ内には、複数のマグネット４を放射状に配置した回転盤３を回転自在に収装し、当該回転盤３を回転させるための回転軸線と、前記動力部１ｂ内に設けた回転盤駆動のための駆動機構の回転軸線を、横方向に所要の距離を保った位置にあるように構成したから、駆動用モーターの設置場所が、攪拌部１ａを避けた場所とすることができる。
【００２４】
従って、従来のように攪拌部と重なるような形態で駆動用モーターを設けるように構成した場合、スターラー自体が必然的に丈高なものと成ってしまい、攪拌システムを既存の装置に組み込んだ際に、その丈高性に基因して高さ方向の空間が限られてくると言うような問題、そしてこのような丈高な空間を取ることができなかった場合には、スターラーの組み込みの不能化というような問題が生じてしまうこととなり、例えば、観測容器を測定器の観測室に入れた状態で観測容器を攪拌する場合、観測用記を含めた全体高さが観測室内に納まるように、スターラーの丈高性を充分確認して設計しなければならないと言うような問題が生じてしまうこととなったが、本発明にあってはこのような問題発生をよく解消することとなる。
更に、従来のように丈高なものであると、これの上に乗せる実験用容器の位置が高くなって安定が悪くなるばかりでなく、当該容器に所要の配管を施すような場合、その管材も高い位置に支持しなければならないため、実験装置の使い勝手が極めて悪いものとなってしまうと言うような問題が生じるも、本発明にあってはこのような事柄は全く生じることがない。
結局、本発明にあっては、攪拌部１ａは、複数のマグネット４を放射状に配置した磁性金属材料製回転盤３を回転自在に支持する機構だけを設ければよいため、これの肉薄化が図られ、上記のような問題発生を回避することとなるわけである。
【００２５】
本発明は請求項２に記載のような構成、すなわち、肉薄形態を呈する外函１の一半部を攪拌部１ａとすると共に他半部を動力部１ｂとし、当該攪拌部１ａ内には、周縁の歯車部分を除き中央部に大きな空所２ａを形成した作動用歯車２を回転自在に収装し、複数のマグネット４を放射状に配置した磁性金属材料製回転盤３を、上記空所２ａ内にスッポリと収容固定し、前記動力部１ｂ内には、作動用歯車２と互いの周縁部において咬み合う駆動用歯車５を回転自在に収装すると共に、当該駆動用歯車５の回転用シャフト６を外函１の外部に導くと共に、その先端に駆動モーターに連結するように構成したから、前記したような従来の問題が解消されることとなる。
【００２６】
そして、周縁の歯車部分を除き中央部に大きな空所２ａを形成した作動用歯車２を回転自在に収装し、複数のマグネット４を放射状に配置した磁性金属材料製回転盤３を、上記空所２ａ内にスッポリと収容固定するように構成したから、攪拌部１ａの肉薄化が一層図られ、マグネチックスターラー全体の薄型化目的が合理的に達成されることとなる。
【００２７】
本発明は請求項３に記載のように、駆動用歯車５の回転用シャフト６をフレキシブルシャフトとし、駆動モーターの遠隔的使用を図るように構成することにより、駆動モーターは邪魔にならない場所に設置すると言うような、従来には全くない新しい形態のマグネチックスターラーの提供が可能化される。
【００２８】
本発明は請求項４に記載のように、駆動用歯車５の回転用シャフト６に連結するための駆動モーターを、外函１の動力部１ｂの上面に載設するように構成することにより、駆動モーターを一体に設けた形態のマグネチックスターラーであつても、実験用容器を置くための攪拌部１ａは低い位置に保たれるため、これが高い位置となった場合に生じる前記したような問題が生じることがない。
【００２９】
本発明は請求項５に記載のように、外函１における攪拌部１ａの上面を、複数のマグネット４を放射状に配置した磁性金属材料製回転盤３が露出可能とするような切り欠き部を形成することにより、マグネット４を容器側の攪拌子Ｄに対してギリギリまでの接近目的が達成される。  従って、磁力の損失が最小化され、極めて安定かつ強力な攪拌子Ｄに対する回転目的が達成される。
【図面の簡単な説明】
【図１】本発明の要部を表した縦断側面図である。
【図２】本発明の要部を表した横断平面図である。
【図３】本発明の１実施例に係る器体の全体を表した斜視図である。
【図４】従来技術を表した説明用縦断面図である。
【符号の説明】
１  外函
１ａ    攪拌部
１ｂ    動力部
２  作動用歯車
２ａ    空所
２ｂ    枢軸
３    回転盤
４  マグネット
５    駆動用歯車
６  回転用シャフト
７  鞘筒
Ｂ    実験用容器
Ｄ    攪拌子
【図１】
2004148149.tif 000003
【図２】
2004148149.tif 000004
【図３】
2004148149.tif 000005
【図４】
2004148149.tif 000006